(57)【特許請求の範囲】
【請求項１】
３枚の引戸を備えた引戸装置であって、閉じた状態で連続して隣合う３枚引戸が、中央に位置する中央引戸と、中央引戸の一方の側方に配置される一方引戸と、中央引戸の他方の側方に配置される他方引戸とからなり、該３枚の引戸は、閉じた状態では面一となるように配置され、他方引戸側から一方引戸側に移動して開く際には該他方引戸を一方引戸の前方に誘導し且つ中央引戸を一方引戸の後方に誘導して３枚引戸を前後に重なるように並置し、且つ、一方引戸側から他方引戸側に移動して開く際には該一方引戸を他方引戸の前方に誘導し且つ中央引戸を他方引戸の後方に誘導して３枚引戸を前後に重なるように並置するように誘導するための誘導機構を設け、上記他方引戸を開く際には他方引戸の操作力を中央引戸に伝達して中央引戸を他方引戸に追従して移動させ、且つ、上記一方引戸を開く際には一方引戸の操作力を中央引戸に伝達して中央引戸を一方引戸に追従して移動させるための連動機構を設け、一方引戸または他方引戸に追従させて中央引戸を閉じる際に中央引戸を一方引戸及び他方引戸と面一となる閉じ位置に停止させるための抑止機構を設け、抑止機構は、中央引戸の両側端部に側外方向に突出して突出先端で前方に屈曲するフック状の係止部を設け、一方引戸及び他方引戸の各中央引戸側の側端部に側外方向に突出して突出先端で後方に屈曲するフック状の被係止部を設け、引戸を閉じた状態で、各被係止部を係止部よりも引戸装置の中央側に位置させると共に、上記係止部と被係止部との各突出先端部を当接可能に対向配置させて成ることを特徴とする引戸装置。
【請求項２】
抑止機構は、中央引戸に設けたランナーが転動するレールの走行面に形成した閉じ位置に位置する中央引戸のランナーが自重で停止される抑止凹所を備えて成ることを特徴とする請求項１に記載の引戸装置。
【請求項３】
誘導機構は、引戸装置の前部に配設した一方引戸及び他方引戸を走行自在にガイドする略直進する共用レール部と、引戸装置の後部に配設した中央引戸をその左右２箇所で走行自在にガイドする中央引戸用レール部とを有し、中央引戸用レール部の左右２箇所にはその前端位置が中央引戸の閉じ位置となる湾曲レール部を半円形状に前方に湾曲させて形成してなり、連動機構は、一方引戸から後方に突出した横片部に垂設した係合部を中央引戸に設けた係合溝に係合して一方引戸に中央引戸を一体に従動させる機構を備え、抑止機構は、中央引戸が閉じ位置に位置した際に係合溝から抜けて係合解除された係合部を中央引戸の後面に摺動自在に当接させて成ることを特徴とする請求項１または２に記載の引戸装置。
【請求項４】
３枚の引戸を備えた引戸装置であって、閉じた状態で連続して隣合う３枚引戸が、中央に位置する中央引戸と、中央引戸の一方の側方に配置される一方引戸と、中央引戸の他方の側方に配置される他方引戸とからなり、該３枚の引戸は、閉じた状態では面一となるように配置され、他方引戸側から一方引戸側に移動して開く際には該他方引戸を一方引戸の前方に誘導し且つ中央引戸を一方引戸の後方に誘導して３枚引戸を前後に重なるように並置し、且つ、一方引戸側から他方引戸側に移動して開く際には該一方引戸を他方引戸の前方に誘導し且つ中央引戸を他方引戸の後方に誘導して３枚引戸を前後に重なるように並置するように誘導するための誘導機構を設け、上記他方引戸を開く際には他方引戸の操作力を中央引戸に伝達して中央引戸を他方引戸に追従して移動させ、且つ、上記一方引戸を開く際には一方引戸の操作力を中央引戸に伝達して中央引戸を一方引戸に追従して移動させるための連動機構を設け、一方引戸または他方引戸に追従させて中央引戸を閉じる際に中央引戸を一方引戸及び他方引戸と面一となる閉じ位置に停止させるための抑止機構を設け、上記誘導機構は、３枚の引戸を走行自在にガイドするレールを備え、上記連動機構は、開閉操作した一方引戸または他方引戸に中央引戸を前後方向に重ねた状態で従動させる機構を備え、上記抑止機構は、一端に一方引戸または他方引戸が当接した状態でのみ他端が中央引戸に当接されて中央引戸を閉じ位置に停止させるストッパを上記レールに備えて成ることを特徴とする引戸装置。
【請求項５】
抑止機構は、中央引戸に設けたランナーが転動するレールの走行面に形成した閉じ位置に位置する中央引戸のランナーが自重で停止される抑止凹所を備えて成ることを特徴とする請求項４に記載の引戸装置。
【発明の詳細な説明】
【技術分野】
【０００１】
本発明は、引戸装置に関し、詳しくは閉じた状態で各引戸が段差無く一列に面一となる引戸装置に関するものである。
【背景技術】
【０００２】
従来から、３枚の引戸を備えた引戸装置として、各引戸が各々平行に直進移動して閉状態と右開き状態又は左開き状態となる引き違い式の引戸装置が一般的に知られている。ところが、上記引き違い式の３枚引戸の引戸装置は、閉状態では手前側から後方にかけて各引戸が段差状となるため、外観上の見栄えが悪いだけでなく、各引戸ごとに上レールの長手方向と直交する前後方向に３本のレール部を並設する必要があり、このため上レールの全体の見込み寸法（奥行き）を大きくとる必要が生じるなど、施工自由度が小さいという制約もあった。
【０００３】
なお、例えば特許文献１のように２枚引戸の引戸装置では、全閉状態で２枚の引戸が面一に連続し、全開状態で２枚の引戸が前後に重なるものが知られているが、このものは３枚以上の引戸を備えた引戸装置ではない。つまり、全閉状態で３枚の引戸が面一に連続するようにした３枚引戸の引戸装置は知られていない。
【０００４】
ところで、３枚引戸の引戸装置には、２枚引戸の引戸装置には存在しない問題点が有る。つまり、２枚引戸の引戸装置では全ての引戸は開口の戸当たりに当てて閉じ位置に位置させることができるのであるが、３枚の引戸には戸当たりに当たらずに開口の中央位置を閉じる中央引戸が有り、この中央引戸を閉じ位置に停止させることは難しいものである。詳しくは、引戸が連動する引戸装置の中央引戸は他の引戸に連動して閉じられるのであるが、この際に中央引戸には慣性が働くので所定の閉じ位置に止めることは難しいのである。
【特許文献１】実開昭５１−１０３５２４号公報
【発明の開示】
【発明が解決しようとする課題】
【０００５】
本発明は上記の従来の問題点に鑑みて為したものであって、全閉状態で３枚の引戸が一列に並んで連続した壁のような外観を呈することができ、他の引戸に連動して閉じる中央引戸を所定の閉じ位置に停止させ得る引戸装置を提供することを課題とするものである。
【課題を解決するための手段】
【０００６】
上記課題を解決するために本発明の請求項１に係る引戸装置は、３枚の引戸１ａ〜１ｃを備えた引戸装置であって、閉じた状態で連続して隣合う３枚引戸１ａ〜１ｃが、中央に位置する中央引戸１ｃと、中央引戸１ｃの一方の側方に配置される一方引戸１ａと、中央引戸１ｃの他方の側方に配置される他方引戸１ｂとからなり、該３枚の引戸１ａ〜１ｃは、閉じた状態では面一となるように配置され、他方引戸１ｂ側から一方引戸１ａ側に移動して開く際には該他方引戸１ｂを一方引戸１ａの前方に誘導し且つ中央引戸１ｃを一方引戸１ａの後方に誘導して３枚引戸１ａ〜１ｃを前後に重なるように並置し、且つ、一方引戸１ａ側から他方引戸１ｂ側に移動して開く際には該一方引戸１ａを他方引戸１ｂの前方に誘導し且つ中央引戸１ｃを他方引戸１ｂの後方に誘導して３枚引戸１ａ〜１ｃを前後に重なるように並置するように誘導するための誘導機構１９を設け、上記他方引戸１ｂを開く際には他方引戸１ｂの操作力を中央引戸１ｃに伝達して中央引戸１ｃを他方引戸１ｂに追従して移動させ、且つ、上記一方引戸１ａを開く際には一方引戸１ａの操作力を中央引戸１ｃに伝達して中央引戸１ｃを一方引戸１ａに追従して移動させるための連動機構１５を設け、一方引戸１ａまたは他方引戸１ｂに追従させて中央引戸１ｃを閉じる際に中央引戸１ｃを一方引戸１ａ及び他方引戸１ｂと面一となる閉じ位置に停止させるための抑止機構２を設け、抑止機構２は、中央引戸１ｃの両側端部に側外方向に突出して突出先端で前方に屈曲するフック状の係止部３７を設け、一方引戸１ａ及び他方引戸１ｂの各中央引戸１ｃ側の側端部に側外方向に突出して突出先端で後方に屈曲するフック状の被係止部３８を設け、引戸１を閉じた状態で、各被係止部３８を係止部３７よりも引戸装置の中央側に位置させると共に、上記係止部３７と被係止部３８との各突出先端部を当接可能に対向配置させて成ることを特徴とする。
【０００７】
これによると、誘導機構１９によって、閉じた状態では３枚の引戸１ａ〜１ｃが一列に面一となるように配置されるのであり、３枚の引戸１ａ〜１ｃを閉じた状態で隣接する引戸１間に段差が生じることがなくて、一連の連続した壁面としての良好な外観を呈することができる。また、連動機構１５によって、一方引戸１ａまたは他方引戸１ｂを開閉操作することで中央引戸１ｃも連動して開閉されて開閉操作がきわめて容易となる。ここで、連動機構１５によると、一方引戸１ａまたは他方引戸１ｂを閉じ操作した場合には中央引戸１ｃも連動して閉じられるのであるが、このとき、抑止機構２によって、中央引戸１ｃは一方引戸１ａ及び他方引戸１ｂと面一となる所定の閉じ位置に停止させられるのであり、つまり中央引戸１ｃは閉じ操作後に手で所定位置に位置し直す必要もなくて自動的に所定の閉じ位置に停止されるから、容易な閉じ操作によって一方引戸１ａ、他方引戸１ｂ及び中央引戸１ｃが面一となった一連の連続した壁面としての良好な外観を呈することができる。つまり、引戸１を閉じた状態では、抑止機構２により、中央引戸１ｃは、両端の各係止部３７が一方引戸１ａの被係止部３８と他方引戸１ｂの被係止部３８とからそれぞれ動作規制されることで、所定の閉じ位置に停止できる。
【０００８】
また、請求項２に係る引戸装置は、請求項１において、抑止機構２は、中央引戸１ｃに設けたランナー２３が転動するレール５の走行面に形成した閉じ位置に位置する中央引戸１ｃのランナーが自重で停止される抑止凹所３６を備えて成ることを特徴とする。これによると、引戸１を閉じた状態では、中央引戸１ｃはその自重により抑止凹所３６の底部に向けてランナー２３が転動し、所定の閉じ位置に停止できる。
【００１０】
また、請求項３に係る引戸装置は、請求項１または２において、誘導機構１９は、引戸装置の前部に配設した一方引戸１ａ及び他方引戸１ｂを走行自在にガイドする略直進する共用レール部７と、引戸装置の後部に配設した中央引戸１ｃをその左右２箇所で走行自在にガイドする中央引戸用レール部８とを有し、中央引戸用レール部８の左右２箇所にはその前端位置が中央引戸１ｃの閉じ位置となる湾曲レール部１３を半円形状に前方に湾曲させて形成してなり、連動機構１５は、一方引戸１ａから後方に突出した横片部３５ｂに垂設した係合部３５ｄを中央引戸１ｃに設けた係合溝３３ｃに係合して一方引戸１ａに中央引戸１ｃを一体に従動させる機構を備え、抑止機構２は、中央引戸１ｃが閉じ位置に位置した際に係合溝３３ｃから抜けて係合解除された係合部３５ｄを中央引戸１ｃの後面に摺動自在に当接させて成ることを特徴とする。これによると、引戸１を閉じる際には、誘導機構１９によって、一方引戸１ａ及び他方引戸１ｂは共用レール部７に沿って引戸装置の前部を略直進走行するのであり、加えて連動機構１５によって、一方引戸１ａ又は他方引戸１ｂに連動する中央引戸１ｃは引戸装置の後部を湾曲レール部１３を備えた中央引戸用レール部８に沿って走行すると共にこの中央引戸用レール部８にガイドせる中央引戸１ｃの左右２箇所の位置が閉じ位置となる湾曲レール部１３の前端位置に至るようになるのであり、つまり、中央引戸１ｃは閉じ位置からずれる際には湾曲レール部１３に沿って引戸装置の前後方向に平行移動する動作を伴うものであるが、ここで、連動機構１５によると、中央引戸１ｃが閉じ位置に位置した際には一方引戸１ａに設けた係合部３５ｄが中央引戸１ｃの係合溝３３ｃから抜けて係合解除（連動解除）されるのであり、そして、抑止機構２によると、連動解除後も続けて共用レール部７に沿って引戸装置の前部を略直進走行する一方引戸１ａに設けた係合部３５ｄが閉じ位置に位置された中央引戸１ｃの後面に摺動自在に当接するのであるから、中央引戸１ｃは湾曲レール部１３に沿って後方には移動できないのであって、中央引戸１ｃは閉じ位置に位置され続ける、つまり所定の閉じ位置に停止できるのである。
【００１１】
また、請求項４に係る引戸装置は、３枚の引戸１ａ〜１ｃを備えた引戸装置であって、閉じた状態で連続して隣合う３枚引戸１ａ〜１ｃが、中央に位置する中央引戸１ｃと、中央引戸１ｃの一方の側方に配置される一方引戸１ａと、中央引戸１ｃの他方の側方に配置される他方引戸１ｂとからなり、該３枚の引戸１ａ〜１ｃは、閉じた状態では面一となるように配置され、他方引戸１ｂ側から一方引戸１ａ側に移動して開く際には該他方引戸１ｂを一方引戸１ａの前方に誘導し且つ中央引戸１ｃを一方引戸１ａの後方に誘導して３枚引戸１ａ〜１ｃを前後に重なるように並置し、且つ、一方引戸１ａ側から他方引戸１ｂ側に移動して開く際には該一方引戸１ａを他方引戸１ｂの前方に誘導し且つ中央引戸１ｃを他方引戸１ｂの後方に誘導して３枚引戸１ａ〜１ｃを前後に重なるように並置するように誘導するための誘導機構１９を設け、上記他方引戸１ｂを開く際には他方引戸１ｂの操作力を中央引戸１ｃに伝達して中央引戸１ｃを他方引戸１ｂに追従して移動させ、且つ、上記一方引戸１ａを開く際には一方引戸１ａの操作力を中央引戸１ｃに伝達して中央引戸１ｃを一方引戸１ａに追従して移動させるための連動機構１５を設け、一方引戸１ａまたは他方引戸１ｂに追従させて中央引戸１ｃを閉じる際に中央引戸１ｃを一方引戸１ａ及び他方引戸１ｂと面一となる閉じ位置に停止させるための抑止機構２を設け、誘導機構１９は、３枚の引戸１ａ〜１ｃを走行自在にガイドするレール５を備え、連動機構１５は、開閉操作した一方引戸１ａまたは他方引戸１ｂに中央引戸１ｃを前後方向に重ねた状態で従動させる機構を備え、抑止機構２は、一端に一方引戸１ａまたは他方引戸１ｂが当接した状態でのみ他端が中央引戸１ｃに当接されて中央引戸１ｃを閉じ位置に停止させるストッパ３９を上記レール５に備えて成ることを特徴とする。これによると、誘導機構１９によって、一方引戸１ａ、他方引戸１ｂ及び中央引戸１ｃはレール部に沿って開閉動作が為されるのであり、ここで、引戸１を閉じる場合には、連動機構１５によって、中央引戸１ｃは開閉操作した一方引戸１ａまたは他方引戸１ｂに前後方向に重ねた状態で一体に従動されるのであり、このとき、抑止機構２によると、一体に連動している一方引戸１ａまたは他方引戸１ｂがレール５に備えたストッパ３９の一端に当接されて、このストッパ３９の他端が中央引戸１ｃに当接されて中央引戸１ｃを閉じ位置に停止させることができるのである。
また、請求項５に係る引戸装置は、請求項４において、抑止機構２は、中央引戸１ｃに設けたランナー２３が転動するレール５の走行面に形成した閉じ位置に位置する中央引戸１ｃのランナーが自重で停止される抑止凹所３６を備えて成ることを特徴とする。これによると、引戸１を閉じた状態では、中央引戸１ｃはその自重により抑止凹所３６の底部に向けてランナー２３が転動し、所定の閉じ位置に停止できる。
【発明の効果】
【００１２】
本発明は、全閉状態で３枚の引戸が一列に並んで連続した壁のような外観を呈することができる利点や、他の引戸に連動して閉じる中央引戸を所定の閉じ位置に停止させ得る利点を有する。
【発明を実施するための最良の形態】
【００１３】
以下、本発明を添付図面に示す実施形態に基いて説明する。
【００１４】
本発明の引戸装置は、全閉状態で３枚の引戸が一列に並んで連続した壁のような外観を現出できる利点に加えて、他の引戸に連動して閉じる中央引戸を所定の閉じ位置に停止させ得る利点を備えたものであり、その実施の形態の諸例としては図１乃至図１０に示すものであるが、その前提として、実施の形態の諸例の引戸装置に共通して有する、全閉状態で３枚の引戸が一列に並んで連続した壁のような外観を現出できる基本構造を図１１乃至図２７の参考例を基に説明する。
【００１５】
図１１乃至図１６に示すように３枚の引戸１を有し、閉じた状態で中央に位置する中央引戸１ｃと、中央引戸１ｃの一方の側方に配置される一方引戸１ａと、中央引戸１ｃの他方の側方に配置される他方引戸１ｂとで構成され、図１１（ａ）、図１２（ａ）、図１３に示すように閉じた状態で上記３枚の引戸１が一列に並ぶだけでなく３枚全体が段差なく面一となるように配置される。従って例えばクローゼットの扉として用いた場合、３枚の引戸１が段差無く面一に連続した一連の壁としての外観を呈することができるようになっており、見栄えが良好となる。
【００１６】
なお、以下の説明では、面一となるように３枚の引戸１を閉じた場合、図１２に示すように正面（室内Ｘ）から見て右側に位置する方の引戸１を一方引戸１ａ、左側に位置する引戸１を他方引戸１ｂと定義して説明する。以下の説明で左側とは全閉状態で正面から見て一方引戸１ａが位置する方、右側とは全閉状態で他方引戸１ｂが位置する方を指す。なお、図１１は上レール５部分を下方から見た下面図であるので、図１２に示す平面図とは室内Ｘから見て左右が逆となるように作図している。また、図１３は収納空間Ｙから見た斜視図であり、したがって、面一となるように３枚の引戸１を閉じた場合、作図上一方引戸１ａが左側、他方引戸１ｂが右側に位置するように作図している。同様に、図１４乃至図１６においても正面から見た場合と左右が逆に作図している。
【００１７】
本例の各引戸１は、厚み、幅、高さの寸法が略同じものを用いており、図３２（ｂ）等に示すように各引戸１ａ〜１ｃの夫々は、木製の引戸本体３０と、引戸本体３０の両側縁に設けた長尺な縦縁材３１とで構成されている。
【００１８】
引戸１ａ〜１ｃの各縦縁材３１は、アルミニウム等の軽量金属の押出成型品である長尺な中空筒状の縁材本体３２と、縁材本体３２の上端面を閉塞するエンドキャップ３３とを備えている。
【００１９】
縁材本体３２の側端の前後の縁には上下方向の全長に亘って外側方に突出する保持片３２ａを設けてあり、前後の保持片３２ａ間に外側方に開口する嵌込溝３２ｂを形成している。縁材本体３２は嵌込溝３２ｂ内に引戸本体３０の側端部を嵌め込んだ状態で引戸本体３０に取付けられている。
【００２０】
エンドキャップ３３は、嵌込部３３ａと、嵌込部３３ａから後方に突出した突出部３３ｂを備えている。エンドキャップ３３は、嵌込部３３ａを縁材本体３２の上端部で構成される上方に開口する凹所内に嵌め込み、突出部３３ｂを縁材本体３２の後面部の上端に形成した上方に開口する切欠（図示せず）を通して縁材本体３２の後方に突出した状態でねじ等の固着具３４ａにより縁材本体３２に固着している。
【００２１】
一方引戸１ａの右側の縦縁材３１、他方引戸１ｂの左側の縦縁材３１は、縁材本体３２の前面中央を後方に凹ませて把手を兼ねる指掛部２９を形成している。３枚の引戸１ａ〜１ｃを面一に閉じた状態においては、一方引戸１ａ及び他方引戸１ｂの縦縁材３１が、中央引戸１ｃの縦縁材３１の前方に位置して重複するようになっている。
【００２２】
上記３枚の引戸１は、他方引戸１ｂ側から一方引戸１ａ側に移動して開く際には該他方引戸１ｂを一方引戸１ａの前方Ａ（室内Ｘ側）に誘導し且つ中央引戸１ｃを一方引戸１ａの後方Ｂ（収納空間Ｙ側）に誘導し、且つ、一方引戸１ａ側から他方引戸１ｂ側に移動して開く際には該一方引戸１ａを他方引戸１ｂの前方Ａ（室内Ｘ側）に誘導し且つ中央引戸１ｃを他方引戸１ｂの後方Ｂ（収納空間Ｙ側）に誘導するための誘導機構１９と、他方引戸１ｂ側の操作力を中央引戸１ｃに伝達して中央引戸１ｃを他方引戸１ｂに追従して開閉させ、且つ、一方引戸１ａ側の操作力を中央引戸１ｃに伝達して中央引戸１ｃを一方引戸１ａに追従して開閉させるための連動機構１５とを備えている。
【００２３】
先ず、誘導機構１９について説明する。
【００２４】
誘導機構１９は、引戸１の上部に各々取り付けられる上ランナー２１〜２３と、引戸１の下部に各々取り付けられる下ローラー２７と、上記上ランナー２１〜２３、下ローラー２７を走行自在にガイドする戸枠４に設けた上下レール５、６とで構成してある。
【００２５】
戸枠４は３枚の引戸１を開閉自在に取付けるための開口部に取付けられる矩形状の枠体であり、上下レール５、６と左右縦枠４ａとで構成してある。図３３乃至図３６には上レール５を省略した状態が示してあり、図１１、図１７乃至図２０はそれぞれ上レール５を下から見た下面図、下から見た斜視図、下から見た分解斜視図等が示してある。
【００２６】
上ランナー２１〜２３は図２１乃至図２４に示すようにそれぞれ引戸１の後面の上端部の左右方向の両端部に逆Ｌ字状をした逆Ｌ型金具２８を介して取付けてあり、上ランナー２１〜２３は引戸１の上端部の後方に位置しており、上ランナー２１〜２３を後述の上レール５に走行自在に取付けた場合、上ランナー２１〜２３による上レール５の走行支持部分よりも前方にずれて引戸１が吊り下げられることになる。
【００２７】
上レール５は、図１７乃至図２０に示すように、躯体に固定される上レール本体５０と、上レール本体５０の下面側に取付けられる上レールカバー５１とで構成してある。上レールカバー５１は長手方向の左右及び中間部に配置されて上レール本体５０にネジ固定される主上レールカバー５１ａと、左右の主上レールカバー５１ａの外側端部に配置されて主上レールカバー５１ａにネジ固定される板状をした副上レールカバー５１ｂと、隣合う主上レールカバー５１ａ間に配置されて主上レールカバー５１ａ又は後述の上レール本体５０に固定される分岐部材１８にネジ固定される板状をした副上レールカバー５１ｂとで構成してある。
【００２８】
上レール５には、図１９（ａ）、図２０（ｂ）に示すように、上レール５の長手方向Ｍと直交する前後方向Ａ，Ｂに並んで、溝状の共用レール部７と溝状の中央引戸用レール部８とが並設されている。前側の共用レール部７は、一方引戸１ａ及び他方引戸１ａ、１ｂの各上端部の両端２箇所に設けた左右２個の上ランナー２１、２２をそれぞれ走行自在にガイドするものであり、後側の中央引戸用レール部８は中央引戸１ｃの上端部に設けた左右２個の上ランナー２３を走行自在にガイドするものである。
【００２９】
上記共用レール部７は、上レール５の長手方向Ｍと平行に延びた前側直進レール部９と、前側直進レール部９の長手方向Ｍの両端側からそれぞれ後方Ｂに向って略Ｌ字状に屈曲した左右２個の外側曲進レール部１１と、前側直進レール部９の長手方向Ｍの両端側よりも内側に寄った２箇所からそれぞれ分岐して後方Ｂに向って略Ｌ字状に屈曲した左右２個の内側曲進レール部１２とを備えている。上記左右２個の外側曲進レール部１１と左右２個の内側曲進レール部１２の各先端部に前側直進レール部９と平行な端部直線レール部１４を連出してある。
【００３０】
これら２本のレール部（共用レール部７、中央引戸用レール部８）で３枚引戸１をガイドすることで、上レール５全体の見込み寸法Ｋ（図２７）を小さくすることが可能となり、例えばクローゼットの扉として用いた場合は収納量アップを図ることができると共に、仮りにクローゼット内で荷崩れが発生した場合でも、例えば、一方引戸１ａは閉状態から他方引戸１ｂ側に移動させることで、外側曲進レール部１１、内側曲進レール部１２に沿って前方に移動して前側直進レール部９に沿って開方向（他方引戸１ｂ側）に移動して開くことが可能となる。
【００３１】
また、上記中央引戸用レール部８は、前側直進レール部９に平行な後側直進レール部１０と、後側直進レール部１０における左右２個の内側曲進レール部１２と対向する位置よりもそれぞれ内側に寄った２箇所から前方Ａに向って半円形状に湾曲した左右２個の湾曲レール部１３とを備えている。
【００３２】
上記共用レール部７に設けた左右２個の外側曲進レール部１１の後端部に連出した端部直線レール部１４と、左右２個の内側曲進レール部１２の後端部に連出した端部直線レール部１４と、中央引戸用レール部８における左右２個の湾曲レール部１３の前端部とは、前側直進レール部９、後側直進レール部１０と平行な仮想直線上に位置している。また、左側の外側曲進レール部１１の後端部に連出した端部直線レール部１４の先端部と左側の内側曲進レール部１２の後端部に連出した端部直線レール部１４の先端部との間の距離は左側の引戸１（つまり他方引戸１ｂ）の左右の上ランナー２２間の距離に等しく、また、右側の外側曲進レール部１１の後端部に連出した端部直線レール部１４と右側の内側曲進レール部１２の後端部に連出した端部直線レール部１４の先端部との間の距離は右側の引戸１（つまり一方引戸１ａ）の左右の上ランナー２１間の距離に等しく、更に、左右の湾曲レール部１３の前端部間の距離は中央引戸１ｃの左右の上ランナー２３間の距離に等しく設定してある。
【００３３】
ここで、閉状態では、図１１（ａ）に示す他方引戸１ｂの各上ランナー２２が左側に位置する外側曲進レール部１１と内側曲進レール部１２の各後端部から連出した端部直線レール部１４にそれぞれ入り込み、中央引戸１ｃの各上ランナー２３が左右２個の湾曲レール部１３の各前端部にそれぞれ入り込み、且つ一方引戸１ａの各上ランナー２１が右側に位置する外側曲進レール部１１と内側曲進レール部１２の各後端部から連出した端部直線レール部１４にそれぞれ入り込むことで、各引戸１が上レール５の長手方向Ｍと平行な同一平面となるように（つまり、３枚の引戸１が面一に連続するように）並置される。
【００３４】
一方、図２５の左開き状態では、図１１（ｃ）のように一方引戸１ａの各上ランナー２１が右側に位置する外側曲進レール部１１と内側曲進レール部１２の各後端部から連出した端部直線レール部１４にそれぞれ入り込み、中央引戸１ｃの左右の上ランナー２３が後側直進レール部１０に移動し（この場合左側の上ランナー２３が後側直進レール部１０の右側の端部に移動する）、且つ他方引戸１ｂの各上ランナー２２が前側直進レール部９の右側にそれぞれ移動することで、手前から順に他方引戸１ｂと一方引戸１ａと中央引戸１ｃとが重ねて並置される。
【００３５】
また、図２６の右開き状態では、他方引戸１ｂの各上ランナー２２が左側に位置する外側曲進レール部１１及び内側曲進レール部１２の各後端部から連出した端部直線レール部１４にそれぞれ入り込み、中央引戸１ｃの左右の上ランナー２３がそれぞれ後側直進レール部１０に移動し（この場合左側の上ランナー２３が後側直進レール部１０の左側の端部に移動する）、且つ一方引戸１ａの各上ランナー２１が前側直進レール部９の左側にそれぞれ移動することで、手前から順に一方引戸１ａと他方引戸１ｂと中央引戸１ｃとが重ねて並置される。
【００３６】
これら左開き状態と右開き状態とは任意に選択できるようになっている。つまり、誘導機構１９は、他方引戸１ｂと中央引戸１ｃと一方引戸１ａとを前後に重ねた状態で、中央引戸１ｃを一方引戸１ａと重ならない位置に移動して一方引戸１ａと面一となるように誘導し、且つ他方引戸１ｂを一方引戸１ａ及び中央引戸１ｃとは重ならない位置に移動して中央引戸１ｃと面一となるように誘導する機能も兼ねている。
【００３７】
一方、各引戸１の上面の左右両側にはそれぞれ上ランナー２１（又は上ランナー２２、又は上ランナー２３）が設けてある。この上ランナー２１〜２３は、図２１乃至図２４に示すように、一対の上ローラー２６を備えたローラーブロック２４と、ローラーブロック２４の上面から上方に突出する複数個の補助ローラー２５ａ（又は補助ローラ２５ｂ）とで構成されている。この補助ローラー２５ａ（又は補助ローラ２５ｂ）は図１７、図１９（ｂ）、図２０（ｃ）、図２７に示す分岐部材１８により曲進又は直進のいずれかに案内されるようになっている。
【００３８】
ここで、図２１乃至図２４、図２７に示すように、一方引戸１ａ及び他方引戸１ｂの正面（室内Ｘ）から見て各右側端部に設けられた上ランナー２１（又は上ランナー２２）の上面の後方側にずれた位置及び前側にずれた位置にそれぞれ高さの低い４個の補助ローラ２５ａ（後方向にずれた位置に進行方向に２個、前方向にずれた位置に進行方向に２個、合計４個）が上方に向けて突設してあり、また、一方引戸１ａ及び他方引戸１ｂの各左側端部に設けられた上ランナー２１（又は上ランナー２２）の上面の前方側にずれた位置に高さの高い２個の補助ローラ２５ｂが上方に向けて突設してあり、また、中央引戸１ｃの右側端部に設けられた上ランナー２３の上面の後方側にずれた位置に高さの高い２個の補助ローラ２５ｂにより構成される２連補助ローラ２５ｂが上方に向けて突設してあり、また、中央引戸１ｃの左側端部に設けられた上ランナー２３の上面の前方側にずれた位置及び後方向がずれた位置に高さの低い４個の補助ローラ２５ａ（後方向にずれた位置に進行方向に２個、前方向にずれた位置に進行方向に２個、合計４個）が上方に向けて突設してある。
【００３９】
分岐部材１８は、上レール本体５０の下面部にネジ固定により取付けられるもので、図１７乃至図２０に示す外側曲進レール部１１、内側曲進レール部１２、湾曲レール部１３の各分岐点に設けられた下方に開口した補助レールブロック１８ａ〜１８ｆ（図１８に拡大斜視図が示してある）で構成されている。図１７乃至図２０において、補助レールブロック１８ａは右側の外側曲進レール部１１に対応した位置に配置してあって上レール本体５０の下面部に取付けてあり、補助レールブロック１８ｂは右側の内側曲進レール部１２に対応した位置に配置してあって上レール本体５０の下面部に取付けてあり、また、補助レールブロック１８ｃは左側の外側曲進レール部１１に対応した位置に配置してあって上レール本体５０の下面部に取付けてあり、補助レールブロック１８ｄは左側の内側曲進レール部１２に対応した位置に配置してあって上レール本体５０の下面部に取付けてあり、また、補助レールブロック１８ｅは右側の湾曲レール部１３に対応した位置に配置してあって上レール本体５０の下面部に取付けてあり、補助レールブロック１８ｆは左側の湾曲レール部１３に対応した位置に配置してあって上レール本体５０の下面部に取付けてある。
【００４０】
上記補助レールブロック１８ａは高さの低い補助ローラ２５ａをガイドするためのもので、図１８（ａ）に示すように、右側の外側曲進レール部１１の後側に沿った下方に開口した溝状の曲進ガイドレール部１８ａ１を有している。該曲進ガイドレール部１８ａ１の一端部の開口から一方引戸１ａの右側端部に設けた上ランナー２１の上面に設けた４個の高さの低い補助ローラ２５ａのうち後方向にずれた位置の２個の補助ローラ２５ａが挿入されることで、一方引戸１ａの上ランナー２１を右側の外側曲進レール部１１に沿って導入するようになっている。この場合、上記上ランナー２１の上面に設けた４個の高さの低い補助ローラ２５ａのうち前方向にずれた位置の２個の補助ローラ２５ａは補助レールブロック１８ａの下面部の上記曲進ガイドレール部１８ａ１の下端よりも上方に凹んだ段落ち部１８ａ２の下方を通過するように構成してある。
【００４１】
また、補助レールブロック１８ｂは、高さの低い前後４個の補助ローラ２５ａが直進するようにガイドすると共に高さの高い２個の補助ローラ２５ｂが曲進するようにガイドするためのもので、図１８（ｂ）に示すように、下方に開口した溝状の前後２列の直線ガイドレール部１８ｂ１、１８ｂ２と、下方に開口した溝状の曲進ガイドレール部１８ｂ３とが設けてある。前の直線ガイドレール部１８ｂ１の左側半部が曲進ガイドレール部１８ｂ３の左側半部を兼用しており、更に、曲進ガイドレール部１８ｂ３の平面視で傾斜した中間部が後の直線ガイドレール部１８ｂ２を横切っており、曲進ガイドレール部１８ｂ３の中間部及び右側半部が右側の内側曲進レール部１２の前側に沿うように配設してある。
【００４２】
ここで、図１８（ｂ）に示すように、直線ガイドレール部１８ｂ１、１８ｂ２と、曲進ガイドレール部１８ｂ３とは下端の位置が同じ高さ位置であるが、曲進ガイドレール部１８ｂ３は高さの高い補助ローラ２５ｂをガイドすることができるように溝深さが深い（上方への凹み深さが深い）ものであり、前の直線ガイドレール部１８ｂ１の左側半部は曲進ガイドレール部１８ｂ３の左側半部を兼用しているので溝深さが深いが右側半部は溝深さが浅い（上方への凹み深さが浅い）ものである。また、後の直線ガイドレール部１８ｂ２は曲進ガイドレール部１８ｂ３の中間部が横切っている部分は溝深さが深く、他の部分は溝深さが浅いものであり、これら溝深さの浅い部分の溝底（上底）は高さの高い補助ローラ２５ｂの上端よりも下位置となるように設定してある。したがって、図２９（ｂ）のように曲進ガイドレール部１８ｂ３の前半部を兼用する前の直線ガイドレール部１８ｂ１の左側半部に入った高さの高い補助ローラ２５ｂは直線ガイドレール部１８ｂ１の右側半部側には移動できず曲進ガイドレール部１８ｂ３の中間部に向かい、更に該中間部を通過する際、後の直線ガイドレール部１８ｂ２側にも移動できず、スムーズに後半部にガイドされる。また、図２９（ａ）に示すように、前の直進ガイドレール部１８ｂ１は一方引戸１ａ及び他方引戸１ｂの各右側端部に取付けた上ランナー２１の上面に設けた４個の高さの低い補助ローラ２５ａのうち前側の２個の高さの低い補助ローラ２５ａが直進するようにガイドするようになっており、後の直進ガイドレール部１８ｂ２は一方引戸１ａ及び他方引戸１ｂの各右側端部に取付けた上ランナー２１の上面に設けた４個の高さの低い補助ローラ２５ａのうち後側の２個の高さの低い補助ローラ２５ａが直進するようにガイドするようになっている。
【００４３】
ところで、一方引戸１ａ、他方引戸１ｂの各右側端部に取付けた上ランナー２１の上面に設けた４個の高さの低い補助ローラ２５ａは前後左右の４個の補助ローラ２５ａが曲進ガイドレール部１８ｂ３を同時に横切らないようになっており、どれかの高さの低い補助ローラ２５ａが曲進ガイドレール部１８ｂ３との交差部分を横切る際に少なくとも前後１個ずつの補助ローラ２５ａが前の直線ガイドレール部１８ｂ１、後の直線ガイドレール部１８ｂ２内に位置していて上記交差部分を通過する際に首振りすることなく直進するように構成してある。
【００４４】
また、補助レールブロック１８ｃは高さの高い補助ローラ２５ｂをガイドするためのもので、図１８（ｆ）に示すように、左側の外側曲進レール部１１の前側に沿った下方に開口した溝深さが深い（上方への凹み深さが深い）溝状の曲進ガイドレール部１８ｃ１を有している。該曲進ガイドレール部１８ｃ１の一端部の開口から他方引戸１ｂの左側端部に取付けた上ランナー２２の上面の前側に片寄って設けた２個の高さの高い補助ローラ２５ｂが挿入されることで、他方引戸１ｂの上ランナー２２を左側の外側曲進レール部１１に沿って導入するようになっている。
【００４５】
また、補助レールブロック１８ｄは、高さの高い前側に片寄った２個の補助ローラ２５ｂが直進するようにガイドすると共に高さの低い前後４個の補助ローラ２５ａが曲進するようにガイドするためのもので、図１８（ｅ）に示すように、両端部及び下方に開口した溝状の直線ガイドレール部１８ｄ１を前側に設けると共に、一端が開口し且つ下方に開口した溝状の曲進ガイドレール部１８ｄ２を後側に設けてあり、曲進ガイドレール部１８ｄ２は左側の内側曲進レール部１２の後側に沿うように配設してある。
【００４６】
ここで、図１８（ｅ）に示すように、曲進ガイドレール部１８ｄ２は直線ガイドレール部１８ｄ１の下端よりも下方に突出して形成してあり、曲進ガイドレール部１８ｄ２の下端は高さの低い補助ローラ２５ａの上端よりも上方に位置している。図３１（ｂ）のように、直線ガイドレール部１８ｄ１には他方引戸１ｂ及び一方引戸１ａの各左側端部に取付けた上ランナー２１、２２の上面の前側に片寄って設けた高さの高い補助ローラ２５ｂが挿入されることになって他方引戸１ｂ及び一方引戸１ａの各左側端部に取付けた上ランナー２１、２２を直線走行させるようにガイドするようになっている。また、図３１（ａ）のように、曲進ガイドレール部１８ｄ２には他方引戸１ｂの右側端部に取付けた上ランナー２２の上面の後側に片寄って設けた２個の高さの低い補助ローラ２５ｂが挿入されることで、他方引戸１ｂの上ランナー２２を左側の内側曲進レール部１２に沿って導入するようになっており、この場合、他方引戸１ｂの右側端部に取付けた上ランナー２２の上面の前側に片寄って設けた２個の高さの低い補助ローラ２５ｂは補助レールブロック１８ｄの下面部の上記曲進ガイドレール部１８ｄ２の下端よりも上方に凹んだ段落ち部１８ｄ３の下方を通過するように構成してある。なお、直線ガイドレール部１８ｄ１の下端は上記段落ち部１８ｄ３の上底に開口しているため高さの低い補助ローラ２５ａが直線ガイドレール部１８ｄ１内に入り込むことはない。
【００４７】
また、補助レールブロック１８ｅは、中央引戸１ｃの右側に取付けた上ランナー２３の上面に設けた高さの低い前後４個の補助ローラ２５ａが直進するようにガイドすると共に左側に取付けた上ランナー２３の上面に設けた高さの高い２個の補助ローラ２５ｂが曲進するようにガイドするためのもので、図１８（ｃ）に示すように、両端及び下方に開口した溝状の前後２列の直線ガイドレール部１８ｅ１、１８ｅ２と、円弧状をした両端及び下方に開口した溝状の曲進ガイドレール部１８ｅ３とが設けてある。後の直線ガイドレール部１８ｅ２は左側部、右側部がそれぞれ曲進ガイドレール部１８ｅ３の左側部、右側部を兼用しており、更に、曲進ガイドレール部１８ｅ３の円弧状をした中間部の両端部の平面視で傾斜した部分がそれぞれ前の直線ガイドレール部１８ｅ２を横切っており、曲進ガイドレール部１８ｅ３の中間部が湾曲レール部１３の前側に沿うように配設してある。
【００４８】
ここで、図１８（ｃ）のように、直線ガイドレール部１８ｅ１、１８ｅ２と、曲進ガイドレール部１８ｅ３とは下端の位置が同じ高さ位置であるが、曲進ガイドレール部１８ｅ３は高さの高い補助ローラ２５ｂをガイドすることができるように溝深さが深い（上方への凹み深さが深い）ものであり、後の直線ガイドレール部１８ｅ１の右側部及び左側部は曲進ガイドレール部１８ｅ３の右側部及び左側部を兼用しているので溝深さが深いが直線ガイドレール部１８ｅ１の中間部は溝深さが浅い（上方への凹み深さが浅い）ものである。また、前の直線ガイドレール部１８ｅ２は曲進ガイドレール部１８ｅ３の中間部の両端部が横切っている部分は溝深さが深く、他の部分は溝深さが浅いものであり、これら溝深さの浅い部分の溝底（上底）は高さの高い補助ローラ２５ｂの上端よりも下位置となるように設定してある。したがって、図２９（ｄ）のように、曲進ガイドレール部１８ｅ３の前側部及び後側部を兼用する後の直線ガイドレール部１８ｅ１の左側部又は右側部に入った高さの高い補助ローラ２５ｂは直線ガイドレール部１８ｅ１の中間部には移動できず曲進ガイドレール部１８ｅ３の中間部に向かう。この場合、更に該中間部を通過する際、前の直線ガイドレール部１８ｅ２側にも移動できず、スムーズに中間部にガイドされる。また、図２９（ｃ）のように、後の直線ガイドレール部１８ｅ１は中央引戸１ｃの右側端部に取付けた上ランナー２３の上面に設けた４個の高さの低い補助ローラ２５ａのうち後側の２個の高さの低い補助ローラ２５ａが直進するようにガイドするようになっており、前の直線ガイドレール部１８ｅ２は中央引戸１ｃの右側端部に取付けた上ランナー２１の上面に設けた４個の高さの低い補助ローラ２５ａのうち前側の２個の高さの低い補助ローラ２５ａが直進するようにガイドするようになっている。
【００４９】
ところで、中央引戸１ｃの右側端部に取付けた上ランナー２１の上面に設けた４個の高さの低い補助ローラ２５ａは前後左右の４個の補助ローラ２５ａが曲進ガイドレール部１８ｅ３を同時に横切らないようになっており、どれかの高さの低い補助ローラ２５ａが曲進ガイドレール部１８ｅ３との交差部分を横切る際に少なくとも前後１個ずつの補助ローラ２５ａが前の直線ガイドレール部１８ｅ２、後の直線ガイドレール部１８ｅ１内に位置していて上記交差部分を通過する際に首振りすることなく直進するように構成してある。
【００５０】
また、補助レールブロック１８ｆは、中央引戸１ｃの左側に取付けた上ランナー２３の上面に設けた高さの高い後側に片寄った２個の補助ローラ２５ｂが直進するようにガイドすると共に右側に取付けた上ランナー２３の上面に設けた高さの低い前後４個の補助ローラ２５ａが曲進するようにガイドするためのもので、図１８（ｄ）に示すように、両端部及び下方に開口した溝状の直線ガイドレール部１８ｆ１を後側に設けると共に、両一端が開口し且つ下方に開口した円弧状をした溝状の曲進ガイドレール部１８ｆ２を前側に設けてあり、直線ガイドレール部１８ｆ１が後側直進レール部１０の後側に沿って配設してあると共に、曲進ガイドレール部１８ｄ２が左側の湾曲レール部１３の前側に沿って配設してある。
【００５１】
ここで、曲進ガイドレール部１８ｆ２は直線ガイドレール部１８ｆ１の下端よりも下方に突出して形成してあり、曲進ガイドレール部１８ｆ２の下端は高さの低い補助ローラ２５ａの上端よりも上方に位置している。図３０に示すように、直線ガイドレール部１８ｆ１には中央引戸１ｃの左側端部に取付けた上ランナー２３の上面の後側に片寄って設けた高さの高い補助ローラ２５ｂが挿入されることになって中央引戸１ｃの右側端部に取付けた上ランナー２３を直線走行させるようにガイドするようになっている。また、図３０に示すように、曲進ガイドレール部１８ｆ２には中央引戸１ｃの右側端部に取付けた上ランナー２２の上面の前側に片寄って設けた２個の高さの低い補助ローラ２５ｂが挿入されることで、中央引戸１ｃの右側に取付けた上ランナー２３を右側の湾曲レール部１３に沿って導入するようになっており、この場合、中央引戸１ｃの右側端部に取付けた上ランナー２２の上面の後側に片寄って設けた２個の高さの低い補助ローラ２５ｂは補助レールブロック１８ｆの下面部の上記曲進ガイドレール部１８ｄ２の下端よりも上方に凹んだ段落ち部１８ｆ３の下方を通過するように構成してある。なお、直線ガイドレール部１８ｆ１の下端は上記段落ち部１８ｆ３の上底に開口しているため高さの低い補助ローラ２５ａが直線ガイドレール部１８ｆ１内に入り込むことはない。
【００５２】
なお、各引戸１の下端部の中央の１箇所には下ローラー２７が突設されている。下ローラー２７はＬ形金具（図示せず）を介して引戸１〜３の各下端部の中央位置に取り付けられている。下ローラー２７をガイドする下レール６には、図１２乃至図１６に示すように、共用レール部１０１の長手方向Ｍの両端側から後方Ｂに向って傾斜した左右の曲進レール部４２，４３がそれぞれ設けられ、曲進レール部４２、４３の端部から共用レール部１０１と平行な下端部直線レール部４５が連設してある。共用レール部１０１と平行で後ろ側に位置する中央引戸用レール部１０２の中央部から前方Ａに向って半円形状に湾曲した１つの湾曲レール部４４が設けられている。
【００５３】
ここで、下レール６の左側の曲進レール部４２の位置は、上レール５の左側の外側曲進レール部１１と内側曲進レール部１２との中間位置に対向しており、下レール６の右側の曲進レール部４３の位置は、上レール５の右側の外側曲進レール部１１と内側曲進レール部１２との中間位置に対向しており、下レール６の湾曲レール部４４の位置は、上レール５の左右の湾曲レール部１３，１３の中間位置に対向している。
【００５４】
そして、各引戸１の上端部は左右２個の上ランナー２１（２２，２３）で吊り下げ支持され、３枚の引戸１が面一となって閉じた状態で、一方引戸１ａの下ローラー２７が右側の曲進レール部４３の後端部に連設した下端部直線レール部４５に位置し、中央の引戸１ｃの下ローラー２７が湾曲レール部４４の前端部に位置し、他方引戸１ｂの下ローラー２７が左側の曲進レール部４２の後端部に連設した下端部直線レール部４５に位置する。図２４の左開きの場合、一方引戸１ａの下ローラー２７が右側の曲進レール部４３の後端部に位置し、他方引戸１ｂの下ローラー２７が共用レール部１０１の直線部分の右端に位置し、中央の引戸１ｃの下ローラー２７が中央引戸用レール部１０２の直線部分の右端に位置する。また、図２５（ｃ）の右開きの場合、他方引戸１ｂの下ローラー２７が左側の曲進レール部４２の後端部に連設した下端部直線レール部４５に位置し、一方引戸１ａの下ローラー２７が共用レール部１０１の直線部分の右端に位置し、中央の引戸１ｃの下ローラー２７が中央引戸用レール部１０２の直線部分の左端に位置する。
【００５５】
上記例において下端部直線レール部４５を設けることで前述の上レールに端部直線レール部１４を設けたのと同じ作用効果を奏し、一方引戸１ａ、他方引戸１ｂが全閉状態でいずれも前後方向において正規の位置になって段差が生じないようにでき、また、開いた状態でも、正常な位置に確実に位置させることができ、全開状態で一方引戸１ａ又は他方引戸１ｂが正規の位置よりも前側にずれていて他方引戸１ｂ又は一方引戸１ａが閉じる際に衝突したり、擦れたりせず、スムーズに正常な位置に確実に位置させて閉じることができる。
【００５６】
このように下端部は１個の下ローラー２７で下レール６にガイドされる結果、各引戸１の走行の安定化を十分に図ることができると共に、１個の下ローラー２７を用いることで、下レール６の溝形状を上レール５の溝形状よりも簡易にでき、下レール６のコスト低減を図ることができる利点もある。
【００５７】
次に連動機構１５について説明する。
【００５８】
図３２等に示すように中央引戸１ｃの左右両端部の夫々の上端面には前後に長い係合溝３３ｃを形成している。また一方引戸１ａの右側端部及び他方引戸１ｂの左側端部（即ち一方引戸１ａ及び他方引戸の夫々の閉じ方向側の端部）の上端からは係合溝３３ｃに係合可能な係合部材３５を後方に向けて突出している。そしてこれら係合溝３３ｃと係合部材３５によって連動機構１５が構成されている。
【００５９】
一方引戸１ａの係合部材３５と他方引戸１ａの係合部材３５は左右対称であり、各係合部材３５は、縦片状の引戸取付部３５ａの上端から横片部３５ｂを後方に突出した断面Ｌ字状の金具からなるアングル３５ｃと、横片部３５ｂの後端部から下方に向けて突出した係合部３５ｄとで構成されている。つまり係合部３５ｄは横片部３５ｂを介して引戸１ａ、１ｂ後方の突出位置に形成している。
【００６０】
アングル３５ｃは引戸取付部３５ａを一方引戸１ａ及び他方引戸１ｂの夫々の上端部の後面にねじのような複数の固着具３４ｂで固着することで取付けられている。アングル３５ｃを一方引戸１ａ及び他方引戸１ｂに取付けるにあたって、一方引戸１ａの右側端部の上端部の後面及び他方引戸１ｂの左側端部の上端部の後面（つまり縦縁材３１の上端部の後面）には凹部３２ｆを形成している。凹部３２ｆの深さは引戸取付部３５ａの厚み寸法以上となっている。アングル３５ｃは引戸取付部３５ａを凹部３２ｆの底面に当てた状態で取付けてあり、アングル３５ｃの引戸取付部３５ａは凹部３２ｆ内に完全に収まるように収納されている。またこのアングル３５ｃを中央引戸１ｃに取付けた状態では横片部３５ｂの下面が中央引戸１ｃよりも上方で且つ一方引戸１ａの上端面及び他方引戸１ｂの上端面と略同レベルに配置されている。
【００６１】
一方引戸１ａのアングル３５ｃの横片部３５ｂの後端部は左側方に突出し、また他方引戸１ｂのアングル３５ｃの横片部３５ｂの後端部は右側方に突出しており、各突出部分から前記係合部３５ｄを突出している。係合部３５ｄは前記係合溝３３ｃに係合しつつ係合溝３３ｃに沿って移動自在となるものであり、本例の係合部３５ｄは横片部３５ｂに上下軸回りに回転自在に軸支したローラで構成されている。係合部３５ｄを構成するローラはゴム等の軟質材料で形成してあり、これにより係合溝３３ｃに係合した連動時の衝撃を緩和でき、また連動時に生じる音を小さくできるようにしている。なお本例では係合部３５ｄをゴム等の軟質材料で形成したが、該係合部３５ｄを受けるエンドキャップ３３全体や、エンドキャップ３３の係合部３５ｄが係合される部分である押側ガイド面３３ｆ及び引側ガイド面３３ｇをゴム等の軟質材料で形成しても良く、この場合も同様の作用効果がある。
【００６２】
中央引戸１ｃの右側に形成した一方引戸１ａ用の係合溝３３ｃと左側に形成した他方引戸１ｂ用の係合溝３３ｃは左右対称であり、各係合溝３３ｃは中央引戸１ｃの各縦縁材３１のエンドキャップ３３の上面に形成している。つまり本例ではエンドキャップ３３を前記係合部材３５の係合部３５ｄが係合する受け部材としている。
【００６３】
各係合溝３３ｃは平面視で略Ｌ字状の溝からなり、左右方向と平行な溝状で一端が外側方（つまり右側の係合溝３３ｃにあっては右側方であり、左側の係合溝３３ｃにあっては左側方）に開口する突部挿入口３３ｄと、突部挿入口３３ｄの他端から前側に伸びるガイド溝部３３ｅとで構成されている。ガイド溝部３３ｅは前後方向と平行な直線状の溝であって、エンドキャップ３３の嵌込部３３ａの前端部から後方に延びて突出部３３ｂにまで至っている。つまり係合溝３３ｃのガイド溝部３３ｅは後端部が中央引戸１ｃの引戸本体３０よりも前方に位置し、その前後方向の長さが中央引戸１ｃの引戸本体３０の厚み寸法よりも長くなっている。ここで各係合溝３３ｃのガイド溝部３３ｅの内側の側面（つまり右側の係合溝３３ｃにあっては左側の側面であり、左側の係合溝３３ｃにあっては右側の側面）を押側ガイド面３３ｆとし、且つ外側の側面（つまり右側の係合溝３３ｃにあっては右側の側面であり、左側の係合溝３３ｃにあっては左側の側面）を引側ガイド面３３ｇと定義すると、押側ガイド面３３ｆ及び引側ガイド面３３ｇは共に前後方向と平行な縦面となっている。
【００６４】
次に動作を説明する。例えば図２１（図１１（ａ）、図１２（ａ）、図１３）に示す３枚の引戸１ａ〜１ｃを面一にして閉じた状態から図２５（ｂ）、図２５（ｃ）と順に他方引戸１ｂを一方引戸１ａ側に向かって移動する時、他方引戸１ｂの係合部３５ｄは、図３２のように他方引戸１ｂと中央引戸１ｃが重なるように係合溝３３ｃの突部挿入口３３ｄに近づくように移動していき、図３３のように他方引戸１ｂと中央引戸１ｃとが概ね重なる段階で係合溝３３ｃの後端部に形成した突部挿入口３３ｄから係合溝３３ｃに挿入されて係合溝３３ｃの押側ガイド面３３ｆの後端部（突部挿入口３３ｄに対向する部分）に当たって係合し、この後、他方引戸１ｂの係合部３５ｄは係合溝３３ｃの押側ガイド面３３ｆに当たって係合しながら係合溝３３ｃの前端側に移動し、図２４のように他方引戸１ｂと中央引戸１ｃとが前後方向に離反する段階で、係合部３５ｄは係合溝３３ｃの押側ガイド面３３ｆの前端部に当たって係合した状態で停止する。これにより中央引戸１ｃは前記他方引戸１ｂと中央引戸１ｃとが概ね重なる段階から３枚の引戸１ａ〜１ｃを右側に寄せた左開き状態となるまでは他方引戸１ａと連動して一方引戸１ｂ側に移動する。
【００６５】
また逆に図２４に示す３枚の引戸１ａ〜１ｃを右側に寄せた左開き状態から図２３、図２２、図２１と順に他方引戸１ｂを閉じる方向に移動する時、他方引戸１ｂの係合部３５ｄは、中央引戸１ｃが中央の閉じ位置に移動する直前の段階まで図３４のように係合溝３３ｃの引側ガイド面３３ｇの後端部に当たって係合した状態となり、この後、他方引戸１ｂと中央引戸１ｃとが前後方向に接近し始める段階で係合溝３３ｃの引側ガイド面３３ｇに当たって係合しつつ係合溝３３ｃの前端側に移動し、この後、図３３のように中央引戸１ｃが閉じ位置に完全に移動した段階（他方引戸１ｂと中央引戸１ｃの前後方向の接近が終了した段階）で係合溝３３ｃの前端部に至る。これにより中央引戸１ｃは右側に寄せた全開状態からその閉じ位置である中央に移動するまでは他方引戸１ｂと連動する。そしてこの中央引戸１ｃが閉じ位置に完全に移動した段階に達すると、図３２のように係合部３５ｄは係合溝３３ｃの前端部に至って引側ガイド面３３ｇへの当たりがなくなって係合が解除され、突部挿入口３３ｄから外側方に向かって移動する。これにより他方引戸１ｂは単独で閉位置まで移動することとなる。
【００６６】
上記構成によれば他方引戸１ｂと中央引戸１ｃとを連動機構１５によって連動できるので、左開き状態とする際や閉じ状態とする際には中央引戸１ｃを手で開閉する必要がなくなり、開閉操作がきわめて容易となる。
【００６７】
また図２１に示すように、中央引戸１ｃの両端側にそれぞれ係合溝３３ｃを設け、他方引戸１ｂの左端（把手側）、及び、一方引戸１ａの右端（把手側）にそれぞれ係合部材３５を設けたので、左開きと右開きのいずれの場合も連動機構１５が働く構造となる。つまり、３枚の引戸１ａ〜１ｃが一列に段差なく面一に配置された全閉状態で、一方引戸１ａを他方引戸１ｂ側に向けて移動することで、他方引戸１ｂ及び中央引戸１ｃと同様に、連動機構１５により中央引戸１ｃを一方引戸１ａに連動して移動できるようになっている。
【００６８】
なおこの３枚の引戸１ａ〜１ｃを面一にして閉じた状態から一方引戸１ａを他方引戸１ｂ側に向かって移動する時、及び３枚の引戸１ａ〜１ｃを左側に寄せた右開き状態から一方引戸１ａを閉じる方向に移動する時には一方引戸１ａの係合部３５ｄが中央引戸１ｃの右側の係合溝３３ｃに係合するものであるが、この時の係合部３５ｄの係合溝３３ｃへの係合は上記した他方引戸１ｂ及び中央引戸１ｃのそれと同様であるので説明を省略する。
【００６９】
以下、本発明の実施の形態の諸例を説明する。本発明の実施の形態の諸例はそれぞれ、上記参考例の構成を基本構成として有し、加えて、一方引戸１ａまたは他方引戸１ｂに追従させて中央引戸１ｃを閉じる際に中央引戸１ｃを一方引戸１ａ及び他方引戸１ｂと面一となる閉じ位置に停止させるための抑止機構２を有している。したがって、先の参考例と重複する基本構成についての説明は省き、抑止機構２についてのみ説明をしていく。
【００７０】
図１乃至図３には本発明の実施の形態の例を示す。本例の抑止機構２は、中央引戸１ｃを閉じ位置に誘導する閉じ位置誘導機構１６と、慣性で移動しようとする中央引戸１ｃを停止させる停止機構１７とを備えている。閉じ位置誘導機構１６は、図２のように、中央引戸１ｃの上ランナー２３を自重で閉じ位置に向けて転動、停止させる抑止凹所３６によって構成されている。詳しくは、抑止凹所３６は、中央引戸１ｃの上ローラ２６が転動する湾曲レール部１３に位置した副上レールカバー５１ｂの上面に湾曲レール部１３に沿うように形成されており、閉じ位置に位置した中央引戸１ｃの上ランナー２３が位置する湾曲レール部１３の前端部の部位が最深部分になるようになだらかに凹むように形成されている（図６，７，９参照）。また、停止機構１７は、図１のように、中央引戸１ｃの両側端部に側外方向に突出して突出先端で前方に屈曲するフック状の係止部３７を設け、一方引戸１ａ及び他方引戸１ｂの各中央引戸１ｃ側の側端部に側外方向に突出して突出先端で後方に屈曲するフック状の被係止部３８を設けてあり、引戸１を閉じた状態で、各被係止部３８が係止部３７よりも引戸装置の中央側に位置されると共に、上記係止部３７と被係止部３８との各突出先端部が当接可能に対向配置される機構で構成されている。詳しくは、一方引戸１ａの左側の縦縁材３１、他方引戸１ｂの右側の縦縁材３１に被係止部３８が形成されており、中央引戸１ｃの両縦縁材３１に係止部３７が形成されており、この係止部３７や被係止部３８は、一方引戸１ａ、他方引戸１ｂ及び中央引戸１ｃが面一の状態で引戸１を閉じたときに係止部３７の突出先端（前端）が被係止部３８の突出先端（後端）よりも前方に位置するように形成されている。また、中央引戸１ｃの係止部３７の突出先端部が一方引戸１ａ又は他方引戸１ｂの被係止部３８の突出先端部に当接する位置は、中央引戸１ｃの上ローラ２６が湾曲レール部１３の抑止凹所３６内に位置するような位置（たとえば点線で示す上ランナー２３が位置する抑止凹所３６の端部）に設定されている。
【００７１】
つまり本例では、先の参考例同様、図１（ａ）のように右開き状態から一方引戸１ａを閉じ操作すると共に、連動機構１５により一方引戸１ａに中央引戸１ｃを連動させて閉じ動作を行わせると、図１（ｂ）のように中央引戸１ｃが他方引戸１ｂと面一状態となる閉じ位置に至って係合部３５ｄと係合溝３３ｃとが係合解除されるのであり、このとき図１（ｃ）のように中央引戸１ｃは慣性によって閉じ位置を越えて移動するのであるが、他方引戸１ｂの被係止部３８に中央引戸１ｃの係止部３７が当接するのであり、この当接の衝撃反力や中央引戸１ｃの自重により上ローラ２６が抑止凹所３６の最深部に向う転動によって、中央引戸１ｃが所定の閉じ位置に停止されるようになる。なお、一方引戸１ａはそのまま引戸装置の右端に向けて閉じ操作されて所定の閉じ位置に至るのである。図１（ｄ）のように全閉状態では中央引戸１ｃは一方引戸１ａ及び他方引戸１ｂと面一状態となり、一連の連続した壁面としての良好な外観を呈するのである。このように抑止機構２によると、中央引戸１ｃは一方引戸１ａ及び他方引戸１ｂと面一となる所定の閉じ位置に自動的に停止させられるのであり、つまり中央引戸１ｃは閉じ操作後に手で所定位置に位置し直す必要もなくて自動的に所定の閉じ位置に停止されるから、容易な閉じ操作によって一方引戸１ａ、他方引戸１ｂ及び中央引戸１ｃが面一となった一連の連続した壁面としての良好な外観が現出可能にされているのである。なお、本例の全閉状態では、各被係止部３８が係止部３７よりも引戸装置の中央側に位置されると共に、上記係止部３７と被係止部３８との各突出先端部が当接可能に対向配置されており、係止部３７と被係止部３８とが当接することで全閉状態から中央引戸１ｃのみを開閉することが不可能にされており、不用意に中央引戸１ｃのみが開閉されることが防止されているのである。
【００７２】
なお、本例の係止部３７や被係止部３８は縦縁材３１に一体に形成してあるが、たとえば図３のように係止部３７や被係止部３８を構成する別体の当て部材４０を縦縁材３１に取付けることも好ましい。別体の当て部材４０とすることで当て部材４０を金属製の縦縁材３１とは異なるたとえば樹脂製で構成させることができる。引戸装置は現場施工で建物の開口に取付けられるのであって、建物の建て付けの具合や施工ミスなどにより引戸１が多少傾いて取付けられる可能性もあり、この場合、係止部３７や被係止部３８は当接予定箇所でない箇所に当接して引戸１に傷をつくる恐れもあるが、樹脂製の当て部材４０とすることで引戸１への傷の発生を抑制することができ、更に当接音の低減も図ることができる。また、当て部材４０を縦縁材にその前後への突出距離を調整可能にして取付けることも好ましい。経年変化などにより引戸１に反りが生じても係止部３７と被係止部３８との良好な当接を確保するべく簡単に調整して対応できるのである。
【００７３】
また、図４及び図５には本発明の実施の形態の他例を示す。本例の抑止機構２は、先の閉じ位置誘導機構１６と、係合溝３３ｃから抜けて係合解除された係合部３５ｄを中央引戸１ｃの後面に摺動自在に当接させる機構から成る停止機構１７とで構成されている。詳しくは、本例の停止機構１７は、中央引戸１ｃの両側端に取付けた各エンドキャップ３３において、係合溝３３ｃの突部挿入口３３ｄからエンドキャップ３３の側端部に至るエンドキャップ３３の後面部位に亙って、突部挿入口３３ｄから出た係合部３５ｄが摺動される摺動用板部材４１を積層配置してある。摺動用板部材４１の後面は中央引戸１ｃの後面を構成している。また、係合溝３３ｃから係合部３５ｄが係合解除される位置は、中央引戸１ｃの上ローラ２６が湾曲レール部１３の抑止凹所３６内に位置するような位置（たとえば点線で示す上ランナー２３が位置する抑止凹所３６の端部）に設定されている。
【００７４】
つまり本例では、先の参考例同様、図４（ａ）のように右開き状態から一方引戸１ａを閉じ操作すると共に、連動機構１５により一方引戸１ａに中央引戸１ｃを連動させて閉じ動作を行わせると、図４（ｂ）のように中央引戸１ｃが他方引戸１ｂと面一状態となる閉じ位置に至って一方引戸１ａの係合部３５ｄと中央引戸１ｃの係合溝３３ｃとが係合解除される。続けて図４（ｃ）のように単独で引戸装置の右端に向けて閉じ操作される一方引戸１ａの係合部３５ｄが摺動用板部材４１の後面に転動状態で摺動する。閉じ位置近傍の中央引戸１ｃは左右の上ランナー２３が湾曲レール部１３に挿入されており、この状態の中央引戸１ｃが引戸装置の左右にずれる際には湾曲レール部１３に沿って引戸装置の前後方向に平行移動する動作を伴うものであるが、上述のように一方引戸１ａの係合部３５ｄが中央引戸１ｃの摺動用板部材４１の後面に摺動している際には、すなわち係合部３５ｄで後方に移動しようとする中央引戸１ｃを押さえることとなるので、慣性で移動しようとした中央引戸１ｃはその場に停止される。そして、一方引戸１ａはそのまま引戸装置の右端に向けて閉じ操作されて図４（ｄ）のように所定の閉じ位置に至るのであるが、その途中で一方引戸１ａの係合部３５ｄは中央引戸１ｃの摺動用板部材４１の後面への摺動が解除される。本例では、係合溝３３ｃから係合部３５ｄが係合解除されると共に係合部３５ｄが摺動用板部材４１に摺動して中央引戸１ｃが停止される位置は、中央引戸１ｃの上ローラ２６が湾曲レール部１３の抑止凹所３６内に位置する位置に設定されているから、係合部３５ｄの摺動用板部材４１への摺動が解除された後には、中央引戸１ｃの自重により上ローラ２６が抑止凹所３６の最深部に向う転動によって、図４（ｄ）のように中央引戸１ｃが一方引戸１ａ及び他方引戸１ｂに面一状態となる所定の閉じ位置に停止されるようになっている。図４（ｄ）のように全閉状態では中央引戸１ｃは一方引戸１ａ及び他方引戸１ｂと面一状態となり、一連の連続した壁面としての良好な外観を呈するのである。このように抑止機構２によると、中央引戸１ｃは一方引戸１ａ及び他方引戸１ｂと面一となる所定の閉じ位置に自動的に停止させられるのであり、つまり中央引戸１ｃは閉じ操作後に手で所定位置に位置し直す必要もなくて自動的に所定の閉じ位置に停止されるから、容易な閉じ操作によって一方引戸１ａ、他方引戸１ｂ及び中央引戸１ｃが面一となった一連の連続した壁面としての良好な外観が現出可能にされているのである。なお、本例の全閉状態では中央引戸１ｃは一方引戸１ａ及び他方引戸１ｂに非接触であるから、図５のように、全閉状態から中央引戸１ｃのみを開閉することが可能であって使い勝手が向上されている。無論、本例の場合、中央引戸１ｃに（たとえば両側の縦縁材３１に）指掛部２９を形成すると中央引戸１ｃの開閉操作を行い易くできて好ましい。
【００７５】
また、図６乃至図１０には本発明の実施の形態の更に他例を示す。本例の抑止機構２は、先の閉じ位置誘導機構１６と、上レール５に設けたストッパ３９の一端に一方引戸１ａまたは他方引戸１ｂが当接した状態でのみストッパ３９の他端が中央引戸１ｃに当接する機構から成る停止機構１７とで構成されている。本例の停止機構１７におけるストッパ３９は上レール５の各湾曲レール部１３の外側隣接部位にそれぞれ配置されている。詳しくは、ストッパ３９は一端に設けた枢支部３９ａを副上レールカバー５１ｂに枢支して水平回動自在にされると共にバネ等の付勢部材（図示せず）を介して副上レールカバー５１ｂ上に配置してある。また、ストッパ３９の枢支部３９ａ近傍には当接突部３９ｂが垂下され、この当接突部３９ｂが副上レールカバー５１ｂに穿設した前後に長い長孔４６に挿通されて副上レールカバー５１ｂの下方（上レール５の下方）に突出されている。上レール５の下方に突出した当接突部３９ｂは、閉じ操作されて移動する一方引戸１ａ又は他方引戸１ｂに設けた係合部材３５の横片部３５ｂの後縁に当接可能になっている。なお、上記一方引戸１ａ又は他方引戸１ｂの係合部材３５の横片部３５ｂにおける後縁と外側縁との角部には、当接突部３９ｂに衝撃を抑えて当接させるためのＲ形状の面取部３５ｅが形成されている。ストッパ３９は、上記付勢部材の付勢によってストッパ３９の他端が湾曲レール部１３を走行する上ランナー２３に当接しない位置に位置されるのであるが、閉じ操作されて移動する一方引戸１ａ又は他方引戸１ｂの係合部材３５の横片部３５ｂが当接突部３９ｂに当接すると、当接突部３９ｂが横片部３５ｂによって後方に押されてストッパ３９が枢支部３９ａを中心に回動し、ストッパ３９の他端が湾曲レール部１３を走行する上ランナー２３に当接する位置に位置されるようになっている。本例では、湾曲レール部１３を走行する上ランナー２３がストッパ３９に当接する位置は、中央引戸１ｃの上ローラ２６が湾曲レール部１３の抑止凹所３６内に位置するような位置（たとえば点線で示す上ランナー２３が位置する抑止凹所３６の端部）に設定されている。
【００７６】
つまり本例では、先の参考例同様、右開き状態から一方引戸１ａを閉じ操作すると共に、連動機構１５により一方引戸１ａに中央引戸１ｃを連動させて閉じ動作を行わせると、中央引戸１ｃが他方引戸１ｂと面一状態となる閉じ位置に至って係合部３５ｄと係合溝３３ｃとが係合解除されるのであり、このとき中央引戸１ｃは慣性によって閉じ位置を越えて移動する。しかしながら、続けて単独で引戸装置の右端に向けて一方引戸１ａは閉じ操作されるのであり、図６（ａ），図７，図８のように、この一方引戸１ａの係合部材３５の横片部３５ｂがストッパ３９の当接突部３９ｂに当接し、ストッパ３９が付勢部材の付勢に抗ってその一端の枢支部３９ａを中心に回動し、このストッパ３９の他端に上記閉じ位置を越えて移動した中央引戸１ｃの上ランナー２３が当接するのであり、つまり慣性でスライドしていた中央引戸１ｃが停止されるのである。ここで、ストッパ３９の当接突部３９ｂへの一方引戸１ａの係合部材３５の当接は、横片部３５ｂの後縁に亙って行われるのであって所定時間行われている。上記ストッパ３９の他端に上ランナー２３が当接した後の中央引戸１ｃは、この当接の衝撃反力や中央引戸１ｃの自重により上ローラ２６が抑止凹所３６の最深部に向う転動によって、一方引戸１ａ及び他方引戸１ｂと面一となる所定の閉じ位置に停止されるようになっている。なお、図６（ｂ），図９，図１０のように、続けて単独で引戸装置の右端に向けて一方引戸１ａを閉じ操作すると、一方引戸１ａの係合部材３５の横片部３５ｂのストッパ３９の当接突部３９ｂへの当接状態が解除されるのであり、ストッパ３９は付勢部材の付勢によって再びストッパ３９の他端が中央引戸１ｃの上ランナー２３に当接しない位置に位置されることとなる。全閉状態では中央引戸１ｃは一方引戸１ａ及び他方引戸１ｂと面一状態となり、一連の連続した壁面としての良好な外観を呈するのである。このように抑止機構２によると、中央引戸１ｃは一方引戸１ａ及び他方引戸１ｂと面一となる所定の閉じ位置に自動的に停止させられるのであり、つまり中央引戸１ｃは閉じ操作後に手で所定位置に位置し直す必要もなくて自動的に所定の閉じ位置に停止されるから、容易な閉じ操作によって一方引戸１ａ、他方引戸１ｂ及び中央引戸１ｃが面一となった一連の連続した壁面としての良好な外観が現出可能にされているのである。なお、本例の全閉状態では中央引戸１ｃは一方引戸１ａ及び他方引戸１ｂに非接触であると共にストッパー３９もその他端が中央引戸１ｃの上ランナー２３に当接しない位置に位置されていることから、たとえば図５のように、全閉状態から中央引戸１ｃのみを開閉することが可能であって使い勝手が向上されている。無論、本例の場合、中央引戸１ｃに（たとえば両側の縦縁材３１に）指掛部２９を形成すると中央引戸１ｃの開閉操作を行い易くできて好ましい。
【００７７】
なお、本実施形態ではぞれぞれ、慣性で移動しようとする中央引戸１ｃを停止させる各停止機構１７と閉じ位置誘導機構１６とを併用して抑止機構２を構成しているが、単独の閉じ位置誘導機構１６や各停止機構１７によって抑止機構２を構成してもよいのは言うまでもない。この場合、各停止機構１７にあっては、慣性でスライド移動した中央引戸１ｃを停止させる位置を、一方引戸１ａ及び他方引戸１ｂと面一になる中央引戸１ｃの閉じ位置に設定すればよいのである。
【図面の簡単な説明】
【００７８】
【図１】本発明の実施の形態の例の引戸装置であって、（ａ）（ｂ）（ｃ）（ｄ）は閉じ動作を順に説明する概略上面図である。
【図２】同上の閉じ位置誘導機構を説明する上レールの側面図である。
【図３】同上の他例の中央引戸の概略斜視図である。
【図４】本発明の実施の形態の他例の引戸装置であって、（ａ）（ｂ）（ｃ）（ｄ）は閉じ動作を順に説明する概略上面図である。
【図５】（ａ）（ｂ）は全閉状態から中央引戸のみ開き動作をする場合を説明する上面図である。
【図６】本発明の実施の形態の他例の引戸装置であって、（ａ）（ｂ）は開き動作を順に説明する上面図である。
【図７】図６（ａ）のＣ部分における前方斜め上からの斜視図である。
【図８】図６（ａ）のＣ部分における後方斜め下からの斜視図である。
【図９】図６（ｂ）のＤ部分における前方斜め上からの斜視図である。
【図１０】図６（ｂ）のＤ部分における後方斜め下からの斜視図である。
【図１１】本発明の基本構成を備えた引戸装置の開閉動作を示し、（ａ）は３枚の引戸を面一に閉じた状態を示す上レール部分を下から見た概略下面図であり、（ｂ）は開閉途中の状態を示す上レール部分を下から見た概略下面図であり、（ｃ）は３枚の引戸を前後に重ねた全開状態を示す上レール部分を下から見た概略下面図である。
【図１２】同上の引戸装置の開閉動作を示し、（ａ）は３枚の引戸を面一に閉じた状態を示す概略平断面図であり、（ｂ）は開閉途中の状態を示す概略平断面図であり、（ｃ）は３枚の引戸を前後に重ねた全開状態を示す概略平断面図である。
【図１３】同上の引戸装置の全閉状態の上レールを省略した後方から見た斜視図である。
【図１４】同上の引戸装置の開閉途中の状態の上レールを省略した後方から見た斜視図である。
【図１５】同上の引戸装置の更に開閉途中の状態の上レールを省略した後方から見た斜視図である。
【図１６】同上の引戸装置の３枚の引戸を前後に重ねた全開状態の上レールを省略した後方から見た斜視図である。
【図１７】同上の上レールの下方から見た分解斜視図である。
【図１８】（ａ）（ｂ）（ｃ）（ｄ）（ｅ）（ｆ）はそれぞれ補助レールブロック１８ａ〜１８ｆの下方から見た拡大斜視図である。
【図１９】（ａ）は上レールの下方から見た斜視図であり、（ｂ）は副上レールカバーを省略した状態の上レールの下から見た斜視図である。
【図２０】（ａ）は上レールの下方から見た下面図であり、（ｂ）は副上レールカバーを省略した状態の上レールの下から見た下面図であり、（ｃ）は３枚の引戸の全閉状態の上レール部分を下方から見た斜視図である。
【図２１】同上の図１３の一部破断した拡大斜視図である。
【図２２】同上の図１４の一部破断した拡大斜視図である。
【図２３】同上の図１５の一部破断した拡大斜視図である。
【図２４】同上の図１６の一部破断した拡大斜視図である。
【図２５】（ａ）（ｂ）（ｃ）は同上の左開きの操作順序を示す説明図である。
【図２６】（ａ）（ｂ）（ｃ）は同上の右開きの操作順序を示す説明図である。
【図２７】同上の上レールにおける補助レールブロックの位置と、３枚の引戸に設けたランナー、補助ローラの位置関係を示す説明図である。
【図２８】同上の補助レールブロック１８ｂ、補助レールブロック１８ｅと高さの低い補助ローラ及び高い補助ローラとの関係を示す説明図のための下方から見た下面図である。
【図２９】（ａ）は図２８のＥ−Ｅ線における高さの低い補助ローラと補助レールブロック１８ｂの関係を示す説明図であり、（ｂ）は図２８のＥ−Ｅ線における高さの高い補助ローラと補助レールブロック１８ｂの関係を示す説明図であり、（ｃ）は図２８のＦ−Ｆ線における高さの低い補助ローラと補助レールブロック１８ｅの関係を示す説明図であり、（ｄ）は図２８のＦ−Ｆ線における高さの高い補助ローラと補助レールブロック１８ｅの関係を示す説明図である。
【図３０】同上の補助レールブロック１８ｄ、補助レールブロック１８ｆと高さの低い補助ローラ及び高い補助ローラとの関係を示す説明図のための下方から見た下面図である。
【図３１】（ａ）は図３０のＧ−Ｇ線における高さの低い補助ローラと補助レールブロック１８ｄの関係を示す説明図であり、（ｂ）は図３０のＧ−Ｇ線における高さの高い補助ローラと補助レールブロック１８ｂの関係を示す説明図であり、（ｃ）は図３０のＨ−Ｈ線における高さの低い補助ローラと補助レールブロック１８ｆの関係を示す説明図であり、（ｄ）は図３０のＨ−Ｈ線における高さの高い補助ローラと補助レールブロック１８ｆの関係を示す説明図である。
【図３２】同上の連動機構の開操作時における係合部が係合溝に導入される直前の状態を示し、（ａ）は平面図であり、（ｂ）は斜視図である。
【図３３】同上の連動機構の開操作時における係合部が係合溝の突部挿入口に導入された状態を示し、（ａ）は平面図であり、（ｂ）は斜視図である。
【図３４】同上の連動機構の開操作時における係合部が係合溝の前端部に導入された状態を示し、（ａ）は平面図であり、（ｂ）は斜視図である。
【図３５】他例の連動機構の開操作時における係合部が係合溝に導入される直前の状態を示し、（ａ）は平面図であり、（ｂ）は斜視図である。
【図３６】同上の連動機構の開操作時における係合部が係合溝の突部挿入口に導入された状態を示し、（ａ）は平面図であり、（ｂ）は斜視図である。
【図３７】同上の連動機構の開操作時における係合部が係合溝の前端部に導入された状態を示し、（ａ）は平面図であり、（ｂ）は斜視図である。
【符号の説明】
【００７９】
１  引戸
１ａ  一方引戸
１ｂ  他方引戸
１ｃ  中央引戸
２  抑止機構
７  共用レール部
８  中央引戸用レール部
１３  湾曲レール部
１５  連動機構
１６  閉じ位置誘導機構
１７  停止機構
１９  誘導機構
３３ｃ  係合溝
３５ｄ  係合部
３６  抑止凹所
３７  係止部
３８  被係止部
３９  ストッパ
４０  当て部材
４１  摺動用板部材
【図１】
0004487916.tif 000002
【図２】
0004487916.tif 000003
【図３】
0004487916.tif 000004
【図４】
0004487916.tif 000005
【図５】
0004487916.tif 000006
【図６】
0004487916.tif 000007
【図７】
0004487916.tif 000008
【図８】
0004487916.tif 000009
【図９】
0004487916.tif 000010
【図１０】
0004487916.tif 000011
【図１１】
0004487916.tif 000012
【図１２】
0004487916.tif 000013
【図１３】
0004487916.tif 000014
【図１４】
0004487916.tif 000015
【図１５】
0004487916.tif 000016
【図１６】
0004487916.tif 000017
【図１７】
0004487916.tif 000018
【図１８】
0004487916.tif 000019
【図１９】
0004487916.tif 000020
【図２０】
0004487916.tif 000021
【図２１】
0004487916.tif 000022
【図２２】
0004487916.tif 000023
【図２３】
0004487916.tif 000024
【図２４】
0004487916.tif 000025
【図２５】
0004487916.tif 000026
【図２６】
0004487916.tif 000027
【図２７】
0004487916.tif 000028
【図２８】
0004487916.tif 000029
【図２９】
0004487916.tif 000030
【図３０】
0004487916.tif 000031
【図３１】
0004487916.tif 000032
【図３２】
0004487916.tif 000033
【図３３】
0004487916.tif 000034
【図３４】
0004487916.tif 000035
【図３５】
0004487916.tif 000036
【図３６】
0004487916.tif 000037
【図３７】
0004487916.tif 000038